(57)【特許請求の範囲】
【請求項１】
ＩＣカードの挿入口を有するケースと、
前記ケースの内部に平行状態を維持する態様で相対向して配置されて、前記挿入口から重ねた状態で差し込まれた複数枚のＩＣカードを同ケースの内部に案内する案内通路と、
前記案内通路に案内されたＩＣカードを同案内通路の配置面の一方側から挟持するためのカード挟持手段と、
前記案内通路の配置面の前記カード挟持手段が設けられた面とは他方側の面に沿って配置されて、前記カード挟持手段にて支持された複数枚のＩＣカードのデータを読み取る又は書き込むの少なくともいずれかを行うためのインターフェースとを備え、
前記カード挟持手段には、前記案内通路に案内されたＩＣカードを前記インターフェースに接近する方向に付勢する付勢手段が設けられてなるとともに、
前記インターフェースは、コンタクト付きＩＣカードにおけるコネクタと接触するコネクタを具備する第１のインターフェース、およびコンタクトレスＩＣカードと非接触にて通信するアンテナを具備する第２のインターフェースからなり、
前記第１のインターフェースは、前記案内通路に案内されたコンタクト付きＩＣカードが前記付勢手段により前記インターフェースに接近する方向に付勢されることにより、該コンタクト付きＩＣカードにおけるコネクタと当該第１のインターフェースが具備するコネクタとの接触が確保され、
前記第２のインターフェースは、前記コンタクト付きＩＣカードをインターフェース側にした同コンタクト付きＩＣカードとの重ね合わせも含めた１乃至複数枚の前記コンタクトレスＩＣカードが前記案内通路に案内されることにより、同コンタクトレスＩＣカードにおけるアンテナと当該第２のインターフェースが具備するアンテナとの非接触による通信が確保されることを特徴とするカードリーダライタ。
【請求項２】
ＩＣカードの挿入口を有するケースと、
前記ケースの内部に平行状態を維持する態様で相対向して配置されて、前記挿入口から重ねた状態で差し込まれた複数枚のＩＣカードを同ケースの内部に案内する案内通路と、
前記案内通路に案内されたＩＣカードを同案内通路の配置面の両側から挟持するためのカード挟持手段と、
前記案内通路の配置面の各々の面に沿うように対向して配置されて、前記カード挟持手段にて支持された複数枚のＩＣカードのデータを読み取る又は書き込むの少なくともいずれかを行うための２つのインターフェースとを備え、
前記カード挟持手段の各々には、前記案内通路に案内されたＩＣカードを同案内通路のそれぞれ対向する配置面に沿って配置されたインターフェースに接近する方向に付勢する付勢手段が設けられてなるとともに、それら付勢手段による付勢力が異なる付勢力に設定されてなるとともに、
前記２つのインターフェースは、共に、コンタクト付きＩＣカードにおけるコネクタと接触するコネクタを具備する第１のインターフェース、およびコンタクトレスＩＣカードと非接触にて通信するアンテナを具備する第２のインターフェースからなり、
前記第１のインターフェースは、前記案内通路の配置面に沿うように案内された１乃至複数枚のコンタクト付きＩＣカードが前記付勢手段により付勢力の弱い方向に付勢されることにより、該コンタクト付きＩＣカードにおけるコネクタと当該第１のインターフェースが具備するコネクタとの接触が確保され、
前記第２のインターフェースは、前記コンタクト付きＩＣカードをインターフェース側にした同コンタクト付きＩＣカードとの重ね合わせも含めた１乃至複数枚の前記コンタクトレスＩＣカードが前記案内通路に案内されることにより、同コンタクトレスＩＣカードにおけるアンテナと当該第２のインターフェースが具備するアンテナとの非接触による通信が確保されることを特徴とするカードリーダライタ。
【請求項３】
前記インターフェースは、第１のアプリケーションで使用されるＩＣカードと、第１のアプリケーションとは異なる第２のアプリケーションで使用されるＩＣカードのデータを読み取る又は書き込むの少なくともいずれかを行うものであることを特徴とする請求項１または２に記載のカードリーダライタ。
【請求項４】
前記付勢手段は、前記案内通路の配置面の前記ＩＣカードが付勢される部分と対向する部分に一端が固定された板バネと、当該板バネの他端にて回転可能に支持されるとともに前記案内通路の配置面の前記ＩＣカードが付勢される部分と対向する部分に設けられた透孔に配置されたローラとを備えることを特徴とする請求項１〜３のいずれか一項に記載のカードリーダライタ。
【請求項５】
前記付勢手段は、シリンダと、当該シリンダの内部に配置されたコイルバネおよびピストンとを備えており、当該ピストンの前記ＩＣカードとの接触部が球面形状になっていることを特徴とする請求項１〜３のいずれか一項に記載のカードリーダライタ。
【発明の詳細な説明】
【０００１】
【発明の属する技術分野】
この発明はカードリーダライタに係り、特に、ＩＣカードのデータを読み取る又は書き込むの少なくともいずれかを行うカードリーダライタに関するものである。
【０００２】
【従来の技術】
従来、ＩＣカードのリーダライタにおいて、複数のＩＣカードを使用する場合、リーダライタのカード挿入口にカードを差し替えたり、リーダライタの複数のカード挿入口にＩＣカードをそれぞれ挿入したりするなどの手法が採られている。前者は、カードの差し替えが面倒であり、複数のサービスを連続で受けることができない。後者は、複数のカード挿入口が必要であることからリーダライタの外形が大きくなってしまう問題がある。
【０００３】
【発明が解決しようとする課題】
そこで、この発明の目的は、複数枚のＩＣカードに対して差し替えを行うことなくデータの読み取り又は書き込みの少なくともいずれかを行うことができるとともに、外形が大きくならないカードリーダライタを提供することにある。
【０００４】
【課題を解決するための手段】
請求項１に記載の発明によれば、ケースの挿入口から重ねた状態で複数枚のＩＣカードが、そのＩＣカードをケースの内部に案内するためにケースの内部に平行状態を維持する態様で相対向して配置されている案内通路に差し込まれると、その案内通路に案内されたＩＣカードは、同案内通路の配置面の一方側からそのＩＣカードを挟持するためのカード挟持手段によって挟持される。また、前記案内通路の配置面の前記カード挟持手段が設けられた面とは他方側の面に沿って配置されているインターフェースにて複数枚のＩＣカードのデータが読み取られる又は書き込まれるの少なくともいずれかが行われる。さらに、前記インターフェースは、コンタクト付きＩＣカードにおけるコネクタと接触するコネクタを具備する第１のインターフェース、およびコンタクトレスＩＣカードと非接触にて通信するアンテナを具備する第２のインターフェースからなる。そして、前記第１のインターフェースは、前記案内通路に案内されたコンタクト付きＩＣカードが前記付勢手段により前記インターフェースに接近する方向に付勢されることにより、該コンタクト付きＩＣカードにおけるコネクタと当該第１のインターフェースが具備するコネクタとの接触が確保される。また、前記第２のインターフェースは、前記コンタクト付きＩＣカードをインターフェース側にした同コンタクト付きＩＣカードとの重ね合わせも含めた１乃至複数枚の前記コンタクトレスＩＣカードが前記案内通路に案内されることにより、同コンタクトレスＩＣカードにおけるアンテナと当該第２のインターフェースが具備するアンテナとの非接触による通信が確保される。
【０００５】
これにより、コンタクト付きＩＣカードおよびコンタクトレスＩＣカードからなる複数枚のＩＣカード（複数枚でもコンタクト付きＩＣカードは１枚）に対して差し替えを行うことなくデータの読み取り又は書き込みの少なくともいずれかを行うことができるとともに、挿入口が複数ある場合に比べ外形が大きくならないようにすることができる。
【０００６】
なお、前記カード挟持手段に設けられている付勢手段が、前記案内通路に案内されたＩＣカードを前記インターフェースに接近する方向に付勢し、コンタクト付きＩＣカードたる前記ＩＣカードにおけるコネクタと前記第１のインターフェースが具備するコネクタとを接触させる。あるいは、コンタクトレスＩＣカードたる前記ＩＣカードにおけるアンテナと前記第２のインターフェースが具備するアンテナとを接近させ、非接触にて通信させる。
【０００７】
これにより、１枚のコンタクト付きＩＣカードが差し込まれた場合であっても、当該コンタクト付きＩＣカードのコネクタと前記第１のインターフェースが具備するコネクタとの接触を確保することができる。一方、１枚のコンタクトレスＩＣカードが差し込まれた場合であっても、当該コンタクトレスＩＣカードのアンテナと前記第１のインターフェースが具備するアンテナとの通信を確保することができる。このようにして、１枚の如何なるタイプのＩＣカードが差し込まれた場合であっても、接続を確保することができるようになる。
【０００８】
請求項２に記載の発明によれば、ケースの挿入口から重ねた状態で複数枚のＩＣカードが、そのＩＣカードをケースの内部に案内するためにケースの内部に平行状態を維持する態様で相対向して配置されている案内通路に差し込まれると、その案内通路に案内されたＩＣカードは、同案内通路の配置面の両側からそのＩＣカードを挟持するためのカード挟持手段によって挟持される。また、前記案内通路の配置面の各々の面に沿うように対向して配置されているインターフェースにて複数枚のＩＣカードのデータが読み取られる又は書き込まれるの少なくともいずれかが行われる。さらに、前記案内通路の配置面の各々の面に沿うように対向して配置されているインターフェースは、共に、コンタクト付きＩＣカードにおけるコネクタと接触するコネクタを具備する第１のインターフェース、およびコンタクトレスＩＣカードと非接触にて通信するアンテナを具備する第２のインターフェースからなる。そして、前記第１のインターフェースは、前記案内通路の配置面に沿うように案内された１乃至複数枚のコンタクト付きＩＣカードが前記付勢手段により付勢力の弱い方向に付勢されることにより、該コンタクト付きＩＣカードにおけるコネクタと当該第１のインターフェースが具備するコネクタとの接触が確保される。また、前記第２のインターフェースは、前記コンタクト付きＩＣカードをインターフェース側にした同コンタクト付きＩＣカードとの重ね合わせも含めた１乃至複数枚の前記コンタクトレスＩＣカードが前記案内通路に案内されることにより、同コンタクトレスＩＣカードにおけるアンテナと当該第２のインターフェースが具備するアンテナとの非接触による通信が確保される。
これにより、コンタクト付きＩＣカードやコンタクトレスＩＣカードからなる複数枚のＩＣカード（コンタクト付きＩＣカード２枚も可）に対して差し替えを行うことなくデータの読み取りおよび書き込みの少なくとも一方を行うことができるとともに、挿入口が複数ある場合に比べ外形が大きくならないようにすることができる。
また、前記カード挟持手段の各々には、前記案内通路に案内されたＩＣカードを同案内通路のそれぞれ対向する配置面に沿って配置されたインターフェースに接近する方向に付勢する付勢手段が設けられている。このとき、一方の付勢手段の付勢力と他方の付勢手段の付勢力が異なっていることにより、１枚のＩＣカードが差し込まれた場合、弱い付勢力の付勢手段が設けられている側の前記案内通路の配置面に沿うように配置されているインターフェースに接近させてアクセスすることができる。
すなわち、コンタクト付きＩＣカードたる前記１枚のＩＣカードにおけるコネクタと、弱い付勢力の付勢手段が設けられている側の前記案内通路の配置面に沿うように配置されている前記第１のインターフェースが具備するコネクタとの接触を確保する。あるいは、コンタクトレスＩＣカードたる前記ＩＣカードにおけるアンテナと、弱い付勢力の付勢手段が設けられている側の前記案内通路の配置面に沿うように配置されている前記第２のインターフェースが具備するアンテナとを接近させ、非接触による通信を確保する。
このようにして、１枚の如何なるタイプのＩＣカードが差し込まれた場合であっても、接続を確保することができるようになる。
【０００９】
また、請求項３に記載のように、インターフェースは、第１のアプリケーションで使用されるＩＣカードと、第１のアプリケーションとは異なる第２のアプリケーションで使用されるＩＣカードのデータを読み取る又は書き込むの少なくともいずれかを行うものであると、異なるアプリケーション用の複数のＩＣカードを差し込んだまま異なるアプリケーションを利用することができる。また、請求項４に記載のように、付勢手段は、上記案内通路の配置面の上記ＩＣカードが付勢される部分と対向する部分に一端が固定された板バネと、当該板バネの他端にて回転可能に支持されるとともに前記案内通路の配置面の前記ＩＣカードが付勢される部分と対向する部分に設けられた透孔に配置されたローラとを備えるものであると、たとえ１枚のＩＣカードが差し込まれた場合であっても、当該ＩＣカードを上記インターフェースに接近させてアクセスすることができる。他方、請求項５に記載のように、付勢手段は、シリンダと、当該シリンダの内部に配置されたコイルバネおよびピストンとを備えており、当該ピストンの前記ＩＣカードとの接触部が球面形状になっているものを採用してもよい。
【００１０】
【発明の実施の形態】
（第１の実施の形態）
以下、この発明を具体化した第１の実施の形態を図面に従って説明する。
【００１１】
図１には、本実施形態におけるカードリーダライタ１の全体構成図を示す。図１においてはリーダライタ１を正面と平面と側面から見ている。
ケース２は箱型をなし、その正面にはカード挿入口３が設けられている。この挿入口３にＩＣカードを差し込んで当該ＩＣカードのデータを読み取る又は書き込むの少なくともいずれかを行うことができる。ここで、本実施形態のリーダライタ１は、一つのカード挿入口３を有し、カード挿入口３は、１枚のＩＣカード、または、複数のＩＣカードの場合は、重ねて挿入することができる寸法になっている。つまり、一つのカード挿入口３に複数枚のＩＣカード１００，１０１を重ねた状態で差し込んでデータを読み取る又は書き込むの少なくともいずれかを行うことができるようになっている。
【００１２】
以下、その詳細を説明していく。
ケース２の内部には、ガイド板４とプリント基板５が水平状態で、上下に相対向して配置されている。本例では、ガイド板４が上に、プリント基板５が下に位置している。このガイド板４及びプリント基板５の右端がケース２のカード挿入口３の部位に接触し、ガイド板４とプリント基板５の間の空隙（エアギャップ）ＡＧがカード挿入口３と同じ高さになっている。ガイド板４とプリント基板５にて形成される空隙ＡＧの距離ｄは、ＩＣカードの２枚の厚み分、プラス、組み付けバラツキ及びカードの曲がりなどを考慮に入れた寸法となっている。この寸法はカード挿入口３も同様である。
【００１３】
図２には、挿入されたＩＣカードを受けるカードリーダライタ１の内部構造、特に、ケース２内におけるガイド板４とプリント基板５を示す。また、図３には、プリント基板５の詳細を示す。
【００１４】
図１，２に示すように、ガイド板４には長方形状の透孔（角穴）６が左右に設けられている。この透孔６にはローラ７が配置され、ローラ７は図２の板バネ８により下方に付勢されている。このローラ７によりＩＣカードが下方に押されてプリント基板５に押し当てられる。ローラ７および板バネ８に関して詳しくは、図４に示すように、長方形状の板バネ８の左端が丸め加工され、この部位がケース２側に固定される。板バネ８の右端の自由端には切り欠き部９が形成され、この切り欠き部９においてシャフト１０が架設され、同シャフト１０にローラ７が回転可能に支持されている。この図４のローラ７および板バネ８が図２のように配置されている。
【００１５】
板バネ８とローラ７により、カード挿入口３から重ねた状態で差し込まれた複数枚のＩＣカード１００，１０１を挟持するためのカード挟持手段を構成している。なお、板バネ８は、ＩＣカードとリーダライタ１側のコネクタ接触を確保するに十分なバネ係数を有するように設計されている。
【００１６】
図３に示すように、プリント基板５にはコネクタモジュール１１が埋設されている。つまり、プリント基板５に四角形状の透孔１２が形成され、この透孔１２に樹脂モールドされたコネクタ部品（１１）が配置されている。このコネクタモジュール１１において上面には複数のコネクタ（接続端子）１３が配設されており、同コネクタ１３がコンタクト付きＩＣカードのコネクタと接触するようになっている。また、コネクタ１３は電極１４および半田１５により、プリント基板５に形成した導体パターンと電気的に接続されている。プリント基板５でのコネクタモジュール１１とは離間した部位においてプリント基板５の上面には、非接触用パターンコイル（アンテナ）１６が描画されている。この非接触用パターンコイル１６によりコンタクトレスＩＣカードと非接触にて通信を行うことができる。さらに、プリント基板５にはインターフェース用電子部品（図示略）が搭載されている。
【００１７】
図２０には、コンタクト付きＩＣカード２００の一例を示し、図２１には、コンタクトレスＩＣカード３００の一例を示す。図２０のコンタクト付きＩＣカード２００においてはコネクタモジュール２０１の内部にＩＣチップ２０２が内蔵されているとともに、表面にコネクタ（接続端子）２０３が設けられている。そして、このコネクタ２０３がリーダライタ１内においてコネクタモジュール１１のコネクタ１３と接触する。また、図２１のコンタクトレスＩＣカード３００においては電波を受けるコイル（アンテナ）３０１が設けられるとともにＩＣチップ３０２が内蔵されている。そして、このコイル（アンテナ）３０１にてリーダライタ１内においてコイル（アンテナ）１６と非接触にて通信することとなる。
【００１８】
このように、図３のコネクタモジュール１１により、図２０に示すコンタクト付きＩＣカード２００に対処するための第１のインターフェースが構成され、また、図３の非接触用パターンコイル（アンテナ）１６により、図２１に示すコンタクトレスＩＣカード３００に対処するための第２のインターフェースが構成されている。
【００１９】
図５〜図８には、ＩＣカードを差し込んだ時の縦断面を示す。
図５は、コンタクト付きＩＣカード２００を１枚差し込んだ時であり、図６は、コンタクトレスＩＣカード３００を１枚差し込んだ時であり、図７は、１枚のコンタクト付きＩＣカード２００と１枚のコンタクトレスＩＣカード３００を差し込んだ時であり、図８は、コンタクトレスＩＣカード３００を２枚差し込んだ時である。
【００２０】
図５のようにコンタクト付きＩＣカード２００を１枚差し込んだ時には、コネクタ１３にてカード２００と接続される。また、図６のようにコンタクトレスＩＣカード３００を１枚差し込んだ時には、アンテナ１６を用いてカード３００と通信できる。さらに、図７のようにコンタクト付きＩＣカード２００を１枚およびコンタクトレスＩＣカード３００を１枚差し込んだ時には、コネクタ１３およびアンテナ１６を用いてカード２００，３００とアクセスできる。このとき、コンタクト付きＩＣカード２００は電波が通過可能であり、コンタクトレスＩＣカード３００に対して電波にてコンタクト付きＩＣカード２００の存在により通信が阻害されるされることなくアクセスできる。さらには、図８のようにコンタクトレスＩＣカード３００を２枚差し込んだ時にはアンテナ１６を用いて２枚のカード３００と通信できる。
【００２１】
なお、図７，８において、Ｚ１にてコンタクトレスＩＣカード３００の通信エリアを示す。
上述したように、ＩＣカードはコンタクト付きとコンタクトレスの２つのタイプがあり、それぞれ、既にＩＳＯ規格で外形、電気特性、制御方法などが定められ、メーカーが違うＩＣカードであっても物理的にはアクセスできる。しかし、実際の運用を考えると、サービス（アプリケーション）ごとにＩＣカードが違って、どこに行っても同じカードで処理できるとは限らない。そうした場合、ＩＣカードのデータを読み取るあるいは書き込むリーダライタ側は、何枚も挿入できるような構造が求められることになる。このとき、カード挿入口を複数備えると、ＩＣカードリーダライタは、外形が大きくなってしまうが、本例では、図５〜図８を用いて説明したごとく、１つの挿入口３でＩＣカードを１枚、または、２枚の場合は重ねて１度で挿入でき、かつ、そのＩＣカードのタイプは限定されない。
【００２２】
図９（ａ）は本実施形態のカードリーダライタ１の寸法を表し、高さはＨ１である。また、図９（ｂ）は、カード挿入口を上下に並べて、各カード挿入口２０，２１毎に各々ＩＣカードを受け止める構成とした場合の寸法を表し、高さはＨ２である。よって、高さＨ１，Ｈ２を比較しても明らかに本実施形態のカードリーダライタ１の方が小さいことが分かる。
【００２３】
なお、本例は１枚のプリント基板５にコネクタモジュール１１とアンテナ１６を取り付けているが、別の基板にコネクタモジュールとアンテナを取り付けてもよい。即ち、コネクタモジュール１１を備えたプリント基板と、アンテナ１６を備えたプリント基板とをケース内に設け、両プリント基板をケーブルでつなぐ。
【００２４】
本カードリーダライタの使用例を、図１０に示す。図１０においては道路通行料の自動料金収受システム（ＥＴＣ；Ｅlectronic Ｔoll Ｃollection ）およびＤＳＣＲ（Ｄedicated  Ｓhort  Ｒange  Ｃommunication；狭域通信）による駐車料金の自動料金収受システムに適用している。この各アプリケーション（道路通行料の収受システムと駐車料金の収受システム）に使用される複数種類のＩＣカードを一つのカード挿入口で取り扱うことができるようになっている。
【００２５】
図１０の車載側通信機（車載側送受信器）３０は、図１に示したカードリーダライタを備えている。同通信機３０は、自動車のダッシュボード３１の上に取付けられ、高速道路の出入口や駐車場の出入口において地上側通信機（地上側送受信機）３２に対し電波による通信を行うことができるようになっている。このとき、図１１に示すように、道路通行料収受システム用のＩＣカードと駐車料金収受システム用のＩＣカードを重ねた状態で車載側通信機（カードリーダライタ）３０のカード挿入口３３に入れておけば、ＩＣカードを差し替えることなく高速道路の出入口や駐車場の出入口でＩＣカードによる支払いを行うことができる。
【００２６】
より具体的な例をとって説明すると、道路通行料収受システム用ＩＣカードがコンタクトレスで、駐車料金収受システムがコンタクト付きであっても２枚重ねて一度に挿入しておけば、利用が可能となる。
【００２７】
このように、プリント基板５に搭載したインターフェースは、第１のアプリケーション（道路通行料収受システム）で使用されるＩＣカードと、第１のアプリケーションとは異なる第２のアプリケーション（駐車料金収受システム）で使用されるＩＣカードのデータを読み取る又は書き込むの少なくともいずれかを行う。このようにすることにより、異なるアプリケーション用の複数のＩＣカードを差し込んだまま異なるアプリケーション（道路通行料収受システムと駐車料金収受システム）を利用することができる。つまり、複数のアプリケーションを連続して利用する場合、人によるカードの差し替え時間を無くすことができる。
【００２８】
なお、カードリーダライタ１は、車載機の他にも、パソコンや他の無線機（例えば携帯電話）等の一部に組み込んだり、単体のカードリーダライタとして使用してもよい。
【００２９】
以上のごとく、本実施の形態は下記の特徴を有する。
（イ）カードリーダライタとして、図２に示すように、ＩＣカードの挿入口３を有するケース２と、ケース２の内部に配置され、挿入口３から重ねた状態で差し込まれた複数枚のＩＣカードを挟持するためのカード挟持手段としてのローラ７及び板バネ８と、ケース２の内部に配置され、カード挟持手段（７，８）にて支持された複数枚のＩＣカードのデータを読み取る又は書き込むの少なくともいずれかを行うためのインターフェース（コネクタモジュール１１とアンテナ１６）と、を備えた。よって、複数枚のＩＣカードに対して差し替えを行うことなくデータの読み取り又は書き込みの少なくともいずれかを行うことができるとともに、挿入口が複数ある場合に比べ外形が大きくなることはない。
（ロ）カード挟持手段は、インターフェース（１１，１６）に接近する方向にＩＣカードを付勢する付勢手段としての板バネ８を備えた。よって、図５，６に示すように、１枚のＩＣカードが差し込まれた場合、当該ＩＣカードをインターフェース（１１，１６）に接近させてアクセスすることができる。このようにして、一枚のＩＣカードが差し込まれた場合にも対処できることとなる。
（ハ）インターフェースは、図３に示すように、コンタクト付きＩＣカードにおけるコネクタと接触するコネクタ１３を具備する第１のインターフェース（コネクタモジュール１１）と、コンタクトレスＩＣカードと非接触にて通信するアンテナ１６を具備する第２のインターフェースと、からなるものとしたので、両方のタイプのカード２００，３００に対処できる。
【００３０】
なお、コネクタ１３を具備する第１のインターフェースと、アンテナ１６を具備する第２のインターフェースのうちの、第１のインターフェースのみを搭載したり、第２のインターフェースのみを搭載してもよい。
（第２の実施の形態）
次に、第２の実施の形態を、第１の実施の形態との相違点を中心に説明する。
【００３１】
図１２には、図１に代わる本実施形態におけるカードリーダライタ１の全体構成図を示す。図１３および図１４には、カードリーダライタ１の内部構造を示す。
【００３２】
第１の実施の形態においては、プリント基板（インターフェース）とローラを１セット設けたが、第２の実施の形態においては、２セット設けている。このようにすると、挿入（利用）できるＩＣカードの組み合わせを増やすことができる。換言すると、第１の実施の形態は、第２の実施の形態に比べて、挿入できるＩＣカードの組み合わせは減るがローラ及びプリント基板（インターフェース）の数は少なくコストダウンを図ることができる。
【００３３】
以下、詳しく説明する。
本実施形態においては、図１２に示すように、プリント基板（インターフェース）４０，４１が向かい合わせに配置され、ＩＣカードの２枚の厚み分に加えて組み付けバラツキ及びカードの曲がりなどを考慮に入れた距離を保った状態で、ケース２の内部に組み込まれている。図１５には、プリント基板４０，４１の詳細を示す。
【００３４】
インターフェースに関し、図１４に示すように、上側のプリント基板４０にはコネクタモジュール１１ａとアンテナ１６ａが搭載されるとともに、下側のプリント基板４１にはコネクタモジュール１１ｂとアンテナ１６ｂが搭載されている。このようにして、上側の第１のインターフェース（１１ａ，１６ａ）と、下側の第２のインターフェース（１１ｂ，１６ｂ）とが対向して配置されている。
【００３５】
また、図１５に示すように、プリント基板４０，４１には長方形状の透孔（角穴）４６，４７が左右に設けられている。この透孔４６，４７には各ローラ４２〜４５が配置され、ローラ４２〜４５は板バネ８ａ，８ｂ（図１３参照）により互いに接近する方向に付勢されている。
【００３６】
ここで、上下のローラ４２，４４（及び４３，４５）の板バネ８ａ，８ｂのバネ係数は、どちらか一方が強くなっている。つまり、下側の板バネ８ｂは、ＩＣカードとリーダライタ（インターフェース）とのコネクタ接触を十分にとるためのバネ係数で設計され、上側の板バネ８ａは、ＩＣカードとリーダライタ（インターフェース）とのコネクタ接触を十分にとるための付勢力、プラスαのバネ係数以上で設計されている。即ち、図１３において、付勢力Ｆ１，Ｆ２の関係として、Ｆ１＞Ｆ２となっている。
【００３７】
このようにすることにより、図１６（ａ）に示すように、コンタクト付きＩＣカード２００を１枚だけ挿入した場合において、上下の板バネ８ａ，８ｂのバネ係数が同じ場合には、ＩＣカードは２枚のプリント基板４０，４１の中央に押されてしまい、コネクタ１３が接触しなくなってしまうが、上下の板バネ８ａ，８ｂでバネ係数を異ならせれば、上側の板バネ８ａのローラが下がり、ＩＣカード２００とコネクタ１３は接触できるようになる。
【００３８】
コンタクト付きＩＣカード２００を２枚挿入した場合は、図１６（ｂ）に示すように、上下の基板４０，４１に設けた各コネクタ１３が密着する。
図１６（ｃ）は、コンタクトレスＩＣカード３００の通信エリアＺ１が広い場合、コイル（アンテナ）１６は片側の基板（インターフェース）だけでもよいことを表している。
【００３９】
以上、本実施形態では、以下の５つの組み合わせでＩＣカードを挿入して利用することができる。
・第１の組み合わせ；コンタクト付きＩＣカード１枚
・第２の組み合わせ；コンタクトレスＩＣカード１枚
・第３の組み合わせ；コンタクト付きＩＣカード２枚
・第４の組み合わせ；コンタクトレスＩＣカード２枚（通信エリアとカードの厚みでこれ以上も可能）
・第５の組み合わせ；コンタクト付きＩＣカード１枚＋コンタクトレスＩＣカード１枚
このように、第１の実施の形態においては、図５〜図８を用いて説明した組み合わせで利用できるが、第３の組み合わせである「コンタクト付きＩＣカード２枚」は使用できなかったが、第２の実施の形態においては、図１６（ｂ）に示すごとく、これが可能となる。
【００４０】
このように、本実施の形態は下記の特徴を有する。
（イ）インターフェースは、対向して配置された第１および第２のインターフェース（プリント基板４０に搭載された第１のインターフェース１１ａ，１６ａおよびプリント基板４１に搭載された第２のインターフェース１１ｂ，１６ｂ）よりなり、付勢手段は、第２のインターフェース（１１ｂ，１６ｂ）に接近する方向にＩＣカードを付勢する板バネ８ａ（第１の付勢手段）と、第１のインターフェース（１１ａ，１６ａ）に接近する方向にＩＣカードを付勢する板バネ８ｂ（第２の付勢手段）よりなり、かつ、第１の付勢手段の付勢力Ｆ１と第２の付勢手段の付勢力Ｆ２を異ならせた。このように、第１の付勢手段の付勢力Ｆ１と第２の付勢手段の付勢力Ｆ２が異なっていることにより、図１６（ａ）のごとく、１枚のＩＣカードが差し込まれた場合、ＩＣカードは付勢力が等しい場合における中間位置よりも付勢力が弱い方向にて支持される。よって、１枚のＩＣカードでも確実にアクセスすることができる。
（第３の実施の形態）
次に、第３の実施の形態を、第１，第２の実施の形態との相違点を中心に説明する。
【００４１】
図１７，１８には、本実施形態におけるカードリーダライタ１の構成図を示す。なお、図１７においてケース６０を二点鎖線で示す。
第１の実施の形態（図１）においてはガイド板４とプリント基板５にてＩＣカードの案内通路（ＡＧ）を形成し、また、第２の実施の形態（図１２）においてはプリント基板４０とプリント基板４１にてＩＣカードの案内通路を形成したが、本実施形態においては樹脂成形品（カードホルダ）６３にてＩＣカードの案内通路６４を形成し、さらに、このＩＣカードの案内通路６４にコネクタ（接続端子）７０を配置している。
【００４２】
以下、詳しく説明する。
図１７，１８に示すように、ケース６０にはガード挿入口６１が形成されている。ケース６０の内部において、プリント基板６２が配置されるとともにプリント基板６２の上には樹脂成形品（カードホルダ）６３が配置されている。樹脂成形品（カードホルダ）６３にはＩＣカード案内通路６４が形成され、ＩＣカード案内通路６４の開口部がケース６０のガード挿入口６１と同じ高さになっている。図１８に示すように、樹脂成形品（カードホルダ）６３に設けた透孔６５にはローラ６６が配置され、ローラ６６は板バネ６７により下方に付勢されている。
このローラ６６によりＩＣカードが下方に押される。樹脂成形品（カードホルダ）６３におけるローラ６６の下方には透孔６８が形成され、この透孔６８にコネクタモジュール６９が配置されている。このコネクタモジュール６９において上面には複数のコネクタ（接続端子）７０が配設され、コネクタ７０はリードピン７１を通してプリント基板６２に形成した導体パターンと電気的に接続されている。なお、リードピン７１はプリント基板６２に半田付けされている。プリント基板６２の上面には、非接触用パターンコイル（アンテナ）７２が描画されている。さらに、プリント基板５にはインターフェース用電子部品７３（図１７参照）が搭載されている。
【００４３】
そして、ケース６０の挿入口６１に、１枚のＩＣカードまたは重ねた状態で複数枚のＩＣカードが差し込まれると、ＩＣカードは樹脂成形品（カードホルダ）６３の案内通路６４に入り、ローラ６６および板バネ６７にて挟持される。この案内通路６４においてコネクタ７０またはアンテナ７２にて１枚または複数枚のＩＣカードのデータが読み取られる又は書き込まれるの少なくともいずれかが行われる。
【００４４】
これまで説明してきた各実施形態以外にも、図１９に示すようにしてもよい。
つまり、図２等においてはローラと板バネを組み合わせてカード挟持手段を構成したが、図１９に示すように、シリンダ８０と、シリンダ８０内に配置されたピストン８１と、シリンダ８０内に配置されたコイルバネ（付勢手段）８２とによりカード挟持手段を構成し、先端が半球状をなすピストン８１を用いてＩＣカードを挟持してもよい。
【図面の簡単な説明】
【図１】第１の実施の形態におけるカードリーダライタの全体構成図。
【図２】カードリーダライタの内部構造を示す図。
【図３】プリント基板を示す図。
【図４】板バネおよびローラの構成図。
【図５】ＩＣカードを挿入したときの状態を示す断面図。
【図６】ＩＣカードを挿入したときの状態を示す断面図。
【図７】ＩＣカードを挿入したときの状態を示す断面図。
【図８】ＩＣカードを挿入したときの状態を示す断面図。
【図９】実施形態のカードリーダライタと比較例のカードリーダライタを示す図。
【図１０】本カードリーダライタの使用例を示す図。
【図１１】本カードリーダライタの使用例を示す図。
【図１２】第２の実施の形態におけるカードリーダライタの全体構成図。
【図１３】カードリーダライタの内部構造を示す図。
【図１４】プリント基板を示す図。
【図１５】プリント基板を示す図。
【図１６】ＩＣカードを挿入したときの状態を示す断面図。
【図１７】第３の実施の形態におけるカードリーダライタの全体構成を示す斜視図。
【図１８】カードリーダライタの縦断面図。
【図１９】別例のカードリーダライタを説明するための断面図。
【図２０】コンタクト付きＩＣカードの外観図。
【図２１】コンタクトレスＩＣカードの構成図。
【符号の説明】
１…カードリーダライタ、２…ケース、３…カード挿入口、６，７…ローラ、８…板バネ、１１…コネクタモジュール、１３…コネクタ、１６…アンテナ、６０…ケース、６１…カード挿入口、６６…ローラ、６７…板バネ、７０…コネクタ、７２…アンテナ。
【図１】
0004576669.tif 000002
【図２】
0004576669.tif 000003
【図３】
0004576669.tif 000004
【図４】
0004576669.tif 000005
【図５】
0004576669.tif 000006
【図６】
0004576669.tif 000007
【図７】
0004576669.tif 000008
【図８】
0004576669.tif 000009
【図９】
0004576669.tif 000010
【図１０】
0004576669.tif 000011
【図１１】
0004576669.tif 000012
【図１２】
0004576669.tif 000013
【図１３】
0004576669.tif 000014
【図１４】
0004576669.tif 000015
【図１５】
0004576669.tif 000016
【図１６】
0004576669.tif 000017
【図１７】
0004576669.tif 000018
【図１８】
0004576669.tif 000019
【図１９】
0004576669.tif 000020
【図２０】
0004576669.tif 000021
【図２１】
0004576669.tif 000022